(57)【要約】【課題】スライド形式で交換可能なコントローラを有する画像形成装置においては、コントローラを交換する際、画像形成装置に必須のケーブルを取り外す手間が生じるという問題がある。加えて、スライド形式で交換可能なコントローラを格納するコントローラボックスがヒンジをもち回動出来る構造である場合、コントローラ側に画像形成装置に必須のケーブルがあると、コントローラボックスを回動させるために画像形成装置に必須のケーブルをコントローラボックスに這わせなければならず、その分、ケーブルを長くする必要がある。そのため、ケーブルのコストアップとなる問題がある。【解決手段】コントローラボックスのヒンジ側に画像形成装置に必須なケーブル接続用コネクタを配置し、コントローラボックスのヒンジと逆側のスライド形式でコントローラを着脱可能な側には情報機器接続用コネクタを配置する。【選択図】図２
2017116615.tif 000002
【特許請求の範囲】
【請求項１】
ヒンジ（４００）にて回動可能なコントローラボックス（３１０）構造を有し、コントローラボックス（３１０）にスライド形式でコントローラ（５００）を着脱可能な構成（７００）をもつ画像形成装置（１０００）において、コントローラボックス（３１０）のヒンジ（４００）側に画像形成装置（１０００）に必須なケーブル接続用コネクタ（６１０、６２０）を配置し、コントローラボックス（３１０）のヒンジ（４００）と逆側のスライド形式でコントローラ（５００）を着脱可能な側には情報機器接続用コネクタ（５１０、５２０、５３０）を配置することを特徴とする画像形成装置（１０００）。
【発明の詳細な説明】
【技術分野】
【０００１】
本発明は、画像形成装置のケーブル接続用コネクタの配置に関し、特に、スライド形式で交換可能なコントローラを有する画像形成装置における画像形成装置内で使用するケーブルを接続するコネクタと情報機器を接続するコネクタの配置に関する。
【背景技術】
【０００２】
従来、画像形成装置に必須のケーブルのメンテナンスの容易化を実現するためにケーブル接続用コネクタのコントローラ基板での配置、ケーブルの這いまわしに特徴を持たせたものがある（特許文献１）。
【０００３】
更に、コントローラボックスを回動可能な構造をもつ画像形成装置では、コントローラボックスを回動させた状態で画像形成装置のメンテナンスを行う場合がある。加えて、コントローラ起因による画像形成装置の動作問題が生じた場合、コントローラだけをバージョンアップする場合に、容易にコントローラを交換する仕組みとしてスライド形式でコントローラを画像形成装置に着脱する機構をもつ画像形成装置が存在する。
【先行技術文献】
【特許文献】
【０００４】
【特許文献１】特開2009-58947号公報
【発明の概要】
【発明が解決しようとする課題】
【０００５】
スライド形式で交換可能なコントローラを有する画像形成装置において、コントローラ側に画像形成装置に必須のケーブルを接続するコネクタがあると、コントローラを交換する際に画像形成装置に必須のケーブルを取り外す手間が生じるという問題がある。加えて、スライド形式で交換可能なコントローラを格納するコントローラボックスがヒンジで回動出来る構造の場合、コントローラボックスを回動させるために画像形成装置に必須のケーブルをコントローラボックスに這わせなければならない。そのため、ケーブルを長くする必要があり、ケーブルのコストアップとなる問題がある。
【課題を解決するための手段】
【０００６】
上記課題を解決するために、本発明に係る画像形成装置は、
ヒンジ（４００）にて回動可能なコントローラボックス（３１０）構造を有し、コントローラボックス（３１０）にスライド形式でコントローラ（５００）を着脱可能な構成（７００）をもつ画像形成装置（１０００）において、
コントローラボックス（３１０）のヒンジ（４００）側に画像形成装置（１０００）に必須なケーブル接続用コネクタ（６１０、６２０）を配置し、コントローラボックス（３１０）のヒンジ（４００）と逆側のスライド形式でコントローラ（５００）を着脱可能な側には情報機器接続用コネクタ（５１０、５２０、５３０）を配置することを特徴とする。
【発明の効果】
【０００７】
本発明に係る画像形成装置によれば、ヒンジによりコントローラボックスが回動可能で、且、スライド形式でコントローラをコントローラボックスに着脱可能な構成をもつ画像形成装置において、情報機器接続用コネクタと画像形成装置に必須なケーブル接続用コネクタを対向させた位置に配置する。更に、画像形成装置に必須なケーブル接続用コネクタをヒンジ側に配置し、情報機器接続用コネクタをコントローラ側に配置することで、コントローラ交換時のメンテナンス性を容易にする。更に、画像形成装置に必須なケーブルの長さも短く出来、コストダウンにもなる。
【図面の簡単な説明】
【０００８】
【図１】画像形成装置の背面図である。
【図２】（ａ）は画像形成装置の裏カバーを外した背面図、（ｂ）は画像形成装置の裏カバー、コントローラボックスカバーを外した背面図、（ｃ）は画像形成装置の裏カバー、コントローラボックスカバー、コントローラを取り付けたコントローラスライド板金を外した背面図である。
【図３】コントローラを取り付けたコントローラスライド板金の図である。
【発明を実施するための形態】
【０００９】
以下、本発明を実施するための形態について図面を用いて説明する。
【００１０】
図１は画像形成装置１０００の背面図である。
【００１１】
原稿読み取り部１１００は、後述のコントローラ中継ボード６００とリーダーケーブル２００で接続する。原稿読み取り部１１００は、用紙に印刷された画像を読み込み電子データに変換する。そして、リーダーケーブル２００、コントローラ中継ボード６００を介して、電子データをコントローラ５００に出力する。
【００１２】
原稿読み取り部指示部１０は、原稿読み取り部１１００をプリントエンジン部１２００に設置したときの原稿読み取り部１１００の支えである。プリントエンジン部１２００は、コントローラ５００が画像処理を施し、コントローラ５００が出力する画像データを用紙に印刷する。
【００１３】
裏カバー１００は、プリントエンジン部１２００の内部機構を保護するためのカバーである。ビス２０でプリントエンジン部１２００内にあるコントローラボックスカバー３００に取り付けられる。
【００１４】
画像形成装置１０００からビス２０を外して裏カバー１００を取り外すとコントローラボックスカバー３００、ヒンジ部４００、リーダーケーブル２００、操作部ケーブル２１０が現れる。
【００１５】
図２（ａ）は画像形成装置１０００から裏カバー１００を外した背面図である。
【００１６】
コントローラボックスカバー３００は、コントローラボックス３１０を覆うカバーである。コントローラボックスカバー３００は、ビス３０でコントローラボックス３１０に固定される。コントローラボックスカバー３００には、裏カバー１００を固定するためのビス２０を取り付けるためのビス穴４０も開口している。
【００１７】
ヒンジ部４００は、コントローラボックス３１０を回動させる部材である。ヒンジ部４００を支点にコントローラボックス３１０を回動させると、画像形成装置１０００の不図示のメカ機構が現れる。
【００１８】
操作部ケーブル２１０は、画像形成装置１０００の不図示の操作部とコントローラ中継ボード６００を接続するケーブルである。コントローラ５００は、コントローラ中継ボード６００、操作部ケーブル２１０を介して不図示の操作部に表示する画像データを出力する。
【００１９】
図２（ｂ）は画像形成装置１０００の裏カバー１００とコントローラボックスカバー３００を外した背面図である。
【００２０】
コントローラ５００は、原稿読み取り部１１００で用紙に印刷された画像を読み込み電子データに変換されたデータに画像処理を行う。そして、プリントエンジン部１２００に画像処理を施した画像データを出力する。更に、コントローラ５００は、ＵＳＢ−ＴＹＰＥ−Ａリセプタクルコネクタ５１０、ＬＡＮコネクタ５２０、ＵＳＢ−ＴＹＰＥ−Ｂコネクタ５３０をもち、情報機器と接続することが出来る。
【００２１】
コントローラ５００は、不図示ＬＡＮケーブルでＬＡＮコネクタ５２０と不図示の情報機器を接続すると、情報機器から出力される印刷データに画像処理を行うことが出来る。コントローラ５００は、不図示ＵＳＢケーブルでＵＳＢ−ＴＹＰＥ−Ｂコネクタ５３０と不図示の情報機器を接続すると、情報機器から出力される印刷データに画像処理を行うことが出来る。
【００２２】
コントローラ５００は、ＵＳＢ−ＴＹＰＥ−Ａリセプタクルコネクタ５１０にＵＳＢメモリを装着し、不図示の操作部からＵＳＢメモリ記録指示を受け付けると、原稿読み取り部１１００で原稿を読み込み、読み込んだ電子データをＵＳＢメモリに記録する。更に、コントローラ５００は、ＵＳＢ−ＴＹＰＥ−Ａリセプタクルコネクタ５１０にＵＳＢメモリを装着し不図示の操作部からＵＳＢメモリ出力指示を受け付けると、ＵＳＢメモリに記録した画像データをプリントエンジン部１２００に出力する。
【００２３】
コントローラ中継ボード６００は、コントローラ５００と画像読み取り部１１００、プリントエンジン部１２００、不図示の操作部を接続するための基板である。コントローラ中継ボード６００は、リーダーケーブルインターフェースコネクタ６１０、操作部インターフェースケーブルコネクタ６２０、不図示のプリントエンジンインターフェースコネクタを有する。リーダーケーブルインターフェースコネクタ６１０には、リーダーケーブル２００が接続される。操作部インターフェースケーブルコネクタ６２０には、操作部ケーブル２１０が接続される。
【００２４】
コントローラ５００とコントローラ中継ボード６００は、コネクタ５４０、コネクタ６４０で接続する。
【００２５】
図２（ｃ）は画像形成装置１０００の裏カバー１００、コントローラボックスカバー３００、コントローラ５００を取り付けたコントローラスライド板金７００を外した背面図である。
【００２６】
コントローラ中継ボード６００は、コントローラボックス３１０にビス３２０で固定される。コントローラスライド板金７００は、画像形成装置１０００で使用されるケーブルを外すことなく、コントローラボックス３１０から取り外すことが出来る。すなわち、コントローラボックス３１０がヒンジ４００で回動可能な画像形成装置で、画像形成装置１０００に必須なケーブル接続用コネクタがコントローラ５００側にないと、コントローラボックス３１０を回動するためにケーブルを長くする必要がなくなる。つまり、ケーブルのコストダウンになる。
【００２７】
図３はコントローラ５００を取り付けたコントローラスライド板金７００の図である。
【００２８】
コントローラ５００は、コントローラスライド板金７００にビス７２０で固定される。コントローラ５００をコントローラスライド板金７００に取り付けた状態で、コントローラボックス３１０からコントローラ５００を取り外すことが出来る。このとき、画像形成装置１０００で使用されるケーブルを外す必要はない。すなわち、コントローラ交換作業が容易になる。
【００２９】
以上説明した様に、情報機器と接続するコネクタをコントローラボックスのヒンジと逆側に配置し、ヒンジ側に画像形成装置に必須なケーブルを接続するコネクタを配置すると、コントローラを交換するときに交換作業が容易になる効果がある。加えて、画像形成装置に必須なケーブル長も短く出来、コストダウンにも実現出来る。
【符号の説明】
【００３０】
１０００  画像形成装置、１１００  原稿読み取り部、
６００  コントローラ中継ボード、２００  リーダーケーブル
【図１】
2017116615.tif 000003
【図２】
2017116615.tif 000004
【図３】
2017116615.tif 000005